(57)【特許請求の範囲】
【請求項１】
表示部への操作を検出する検出手段と、前記検出手段によって検出された操作に応じた処理を実行する処理手段とを備えた端末装置であって、
前記表示部への誤操作を防止するためのロック画面内の第１表示領域に表示用ピクトを表示させると共に、第２表示領域にロック解除アイコンを表示させる表示制御手段と、
前記検出手段によって前記第２表示領域内のロック解除アイコンへの操作が検出された後、そのロック解除アイコンを第２表示領域から第３表示領域へ移動させる操作が検出された場合に、ロック解除操作が行われたと判別する第１判別手段と、
前記第１判別手段によりロック解除操作が行われたと判別された場合に、ロック画面から所定の画面に遷移させる画面遷移手段と、
前記検出手段によってロック解除操作以外の表示部への所定の操作が検出された場合に、表示用ピクト機能実行操作であると判別する第２判別手段と、
を備え、
前記処理手段は、前記第２判別手段によって表示用ピクト機能実行操作であると判別された場合に、前記第１表示領域に表示される表示用ピクトに対応する機能を実行する、
ようにし、
かつ、前記第２判別手段は、前記ロック解除操作以外の操作であって、前記検出手段によってロック解除アイコンへの所定の操作が検出された場合に、表示用ピクト機能実行操作であると判別する、
ようにし、
さらに、前記第２判別手段は、前記検出手段によって前記第１表示領域内の表示用ピクトへの操作が検出された後、所定時間以内に前記第１判別手段によってロック解除操作であると判別された場合に、表示用ピクト機能実行操作であると判別する、
ようにしたことを特徴とする端末装置。
【請求項２】
前記第２判別手段は、前記検出手段によって前記第２表示領域内のロック解除アイコンへの操作及び第１表示領域内の表示用ピクトへの操作が検出された場合に、表示用ピクト機能実行操作であると判別する、
ようにしたことを特徴とする請求項１記載の端末装置。
【請求項３】
前記第２判別手段は、前記検出手段によって前記第２表示領域内のロック解除アイコンへの操作が検出された後、前記第２表示領域から前記第１表示領域まで移動させる操作が検出された場合に、表示用ピクト機能実行操作であると判別する、
ようにしたことを特徴とする請求項１記載の端末装置。
【請求項４】
前記第２判別手段は、前記検出手段によって前記第２表示領域内のロック解除アイコンへの操作が検出された後、前記第２表示領域から前記第１表示領域まで移動させる操作が検出され、更に、ロック解除アイコンへの操作が検出されなくなった場合に、表示用ピクト機能実行操作であると判別する、
ようにしたことを特徴とする請求項３記載の端末装置。
【請求項５】
前記第２判別手段は、前記検出手段によって前記第１表示領域内の表示用ピクトへの操作が検出された後、前記第１表示領域から前記第２表示領域まで移動させる操作が検出された場合に、表示用ピクト機能実行操作であると判別する、
ようにしたことを特徴とする請求項１記載の端末装置。
【請求項６】
前記第２判別手段は、前記検出手段によって前記第１表示領域内の表示用ピクトへの操作が検出された後、前記第１表示領域から第４表示領域まで移動させる操作が検出され、所定時間以内に前記第１判別手段によってロック解除操作であると判別された場合に、表示用ピクト機能実行操作であると判別する、
ようにしたことを特徴とする請求項１記載の端末装置。
【請求項７】
表示部への誤操作を防止するためのロック画面内の第１表示領域に表示用ピクトを表示させ、第２表示領域にロック解除アイコンを表示させる表示制御ステップと、
前記第２表示領域内のロック解除アイコンへの操作が検出された後、そのロック解除アイコンを第２表示領域から第３表示領域へ移動させる操作が検出された場合に、ロック解除操作が行われたと判別する第１判別ステップと、
前記ロック解除操作が行われたと判別された場合に、ロック画面から所定の画面に遷移させる画面遷移ステップと、
前記ロック解除操作以外の表示部への所定の操作が検出された場合に、表示用ピクト機能実行操作であると判別する第２判別ステップと、
前記表示用ピクト機能実行操作であると判別された場合に、前記第１表示領域に表示される表示用ピクトに対応する機能を実行する処理ステップと、
を含み、
かつ、前記第２判別ステップは、前記ロック解除操作以外の操作であって、前記表示部への操作を検出する検出ステップによってロック解除アイコンへの所定の操作が検出された場合に、表示用ピクト機能実行操作であると判別し、さらに、前記第２判別ステップは、前記検出ステップによって前記第１表示領域内の表示用ピクトへの操作が検出された後、所定時間以内に前記第１判別ステップによってロック解除操作であると判別された場合に、表示用ピクト機能実行操作であると判別することを特徴とする処理方法。
【請求項８】
コンピュータに対して、
表示部への誤操作を防止するためのロック画面内の第１表示領域に表示用ピクトを表示させ、第２表示領域にロック解除アイコンを表示させる表示制御機能と、
前記第２表示領域内のロック解除アイコンへの操作が検出された後、そのロック解除アイコンを第２表示領域から第３表示領域へ移動させる操作が検出された場合に、ロック解除操作が行われたと判別する第１判別機能と、
前記ロック解除操作が行われたと判別された場合に、ロック画面から所定の画面に遷移させる画面遷移機能と、
前記ロック解除操作以外の表示部への所定の操作が検出された場合に、表示用ピクト機能実行操作であると判別する第２判別機能と、
前記表示用ピクト機能実行操作であると判別された場合に、前記第１表示領域に表示される表示用ピクトに対応する機能を実行する処理機能と、
を実現させるためのプログラムであって、
前記第２判別機能は、前記ロック解除操作以外の操作であって、前記表示部への操作を検出する検出手段によってロック解除アイコンへの所定の操作が検出された場合に、表示用ピクト機能実行操作であると判別し、
さらに、前記第２判別機能は、前記検出手段によって前記第１表示領域内の表示用ピクトへの操作が検出された後、所定時間以内に前記第１判別機能によってロック解除操作であると判別された場合に、表示用ピクト機能実行操作であると判別するプログラム。
【発明の詳細な説明】
【技術分野】
【０００１】
本発明は、表示部への操作が行われた場合にそれに応じて処理を実行する端末装置及び処理方法並びにプログラムに関する。
【背景技術】
【０００２】
一般に、携帯電話機などの端末装置においては、各種のデータや情報を表示する表示部（表示画面）上において、その表示部に接触する接触操作が行われたり、表示部に近接する非接触操作が行われたりした場合に、その接触操作や非接触操作を検出するようにしている。すなわち、物体の接触を検出する透明な接触センサが表示部の表面に配設されている場合には、その接触センサによって表示部への操作器具や指の接触を接触操作として検出するようにしている。また、静電容量などで近距離に存在する物体の動きを検出する非接触センサが配設されている場合には、その非接触センサによって表示部上（表示部に接触していなくてもよい）での操作器具や指の動きを非接触操作として検出するようにしている。【０００３】
このように表示部上で行われる操作を検出し、その操作に応じて各種の処理を実行するようにした携帯電話機などの端末装置には、表示部上での誤操作（不用意な操作など）を防止するためにその操作の受け付けを抑制する画面（ロック画面）を表示するようにしたものがある。このロック画面から別の画面に遷移させるための操作（すなわち、ロックを解除するための操作）としては様々なものがあるが、その一つに、ロック画面に表示されているロック解除アイコンを特定の位置まで移動させる操作がある。
例えば、従来、表示部への操作を検出する手段の例として、タッチパネルを利用した電子デバイスにおいて、ロック画面に表示されているロック解除アイコンを特定の位置まで移動させる操作によってロック解除を行うようにした技術が開示されている（特許文献１参照）。
【先行技術文献】
【特許文献】
【０００４】
【特許文献１】特表２０１０−５４１０４６号公報
【発明の概要】
【発明が解決しようとする課題】
【０００５】
しかしながら、上述した特許文献の技術にあっては、ロック画面上でのロック解除操作しか受け付けられないためにロック画面上で他の操作を行うためには、一旦、ロック状態を解除しなければならなかった。例えば、一般に、ロック画面には、通信状況を明示する電波ピクト、電池残量を明示する電池ピクト、新着メールの受信有りを明示するメールピクトなどの表示用ピクトが表示されているが、このような表示用ピクトがロック画面に表示されている状態においては、ロック解除をするための操作しか受け付けられないためにユーザが、表示用ピクトに対応する機能（例えば、電波ピクトであれば電波を遮断する電波オフ設定、電池ピクトであれば、電力消費を抑制する省電力モード設定、など）を実行させようとして、表示用ピクトへの操作を行ったとしても、その機能が実行されないために、一旦、ロック状態を解除しなければならず、ユーザに大きな負担をかけるという問題があった。【０００６】
本発明の課題は、表示部への誤操作を防止するロック画面に表示用ピクトが表示されている状態において、その表示用ピクトに対応する機能をそのロック画面を解除しなくても容易に実行できるようにすることである。
【課題を解決するための手段】
【０００７】
上述した課題を解決するために本発明の端末装置は、
表示部への操作を検出する検出手段と、前記検出手段によって検出された操作に応じた処理を実行する処理手段とを備えた端末装置であって、
前記表示部への誤操作を防止するためのロック画面内の第１表示領域に表示用ピクトを表示させると共に、第２表示領域にロック解除アイコンを表示させる表示制御手段と、
前記検出手段によって前記第２表示領域内のロック解除アイコンへの操作が検出された後、そのロック解除アイコンを第２表示領域から第３表示領域へ移動させる操作が検出された場合に、ロック解除操作が行われたと判別する第１判別手段と、
前記第１判別手段によりロック解除操作が行われたと判別された場合に、ロック画面から所定の画面に遷移させる画面遷移手段と、
前記検出手段によってロック解除操作以外の表示部への所定の操作が検出された場合に、表示用ピクト機能実行操作であると判別する第２判別手段と、
を備え、
前記処理手段は、前記第２判別手段によって表示用ピクト機能実行操作であると判別された場合に、前記第１表示領域に表示される表示用ピクトに対応する機能を実行する、
ようにし、
かつ、前記第２判別手段は、前記ロック解除操作以外の操作であって、前記検出手段によってロック解除アイコンへの所定の操作が検出された場合に、表示用ピクト機能実行操作であると判別する、
ようにし、
さらに、前記第２判別手段は、前記検出手段によって前記第１表示領域内の表示用ピクトへの操作が検出された後、所定時間以内に前記第１判別手段によってロック解除操作であると判別された場合に、表示用ピクト機能実行操作であると判別する、
ようにしたことを特徴とする端末装置である。
【０００８】
上述した課題を解決するために本発明の処理方法は、
表示部への誤操作を防止するためのロック画面内の第１表示領域に表示用ピクトを表示させ、第２表示領域にロック解除アイコンを表示させる表示制御ステップと、
前記第２表示領域内のロック解除アイコンへの操作が検出された後、そのロック解除アイコンを第２表示領域から第３表示領域へ移動させる操作が検出された場合に、ロック解除操作が行われたと判別する第１判別ステップと、
前記ロック解除操作が行われたと判別された場合に、ロック画面から所定の画面に遷移させる画面遷移ステップと、
前記ロック解除操作以外の表示部への所定の操作が検出された場合に、表示用ピクト機能実行操作であると判別する第２判別ステップと、
前記表示用ピクト機能実行操作であると判別された場合に、前記第１表示領域に表示される表示用ピクトに対応する機能を実行する処理ステップと、
を含み、
かつ、前記第２判別ステップは、前記ロック解除操作以外の操作であって、前記表示部への操作を検出する検出ステップによってロック解除アイコンへの所定の操作が検出された場合に、表示用ピクト機能実行操作であると判別し、さらに、前記第２判別ステップは、前記検出ステップによって前記第１表示領域内の表示用ピクトへの操作が検出された後、所定時間以内に前記第１判別ステップによってロック解除操作であると判別された場合に、表示用ピクト機能実行操作であると判別することを特徴とする処理方法である。
【０００９】
上述した課題を解決するために本発明のプログラムは、
コンピュータに対して、
表示部への誤操作を防止するためのロック画面内の第１表示領域に表示用ピクトを表示させ、第２表示領域にロック解除アイコンを表示させる表示制御機能と、
前記第２表示領域内のロック解除アイコンへの操作が検出された後、そのロック解除アイコンを第２表示領域から第３表示領域へ移動させる操作が検出された場合に、ロック解除操作が行われたと判別する第１判別機能と、
前記ロック解除操作が行われたと判別された場合に、ロック画面から所定の画面に遷移させる画面遷移機能と、
前記ロック解除操作以外の表示部への所定の操作が検出された場合に、表示用ピクト機能実行操作であると判別する第２判別機能と、
前記表示用ピクト機能実行操作であると判別された場合に、前記第１表示領域に表示される表示用ピクトに対応する機能を実行する処理機能と、
を実現させるためのプログラムであって、
前記第２判別機能は、前記ロック解除操作以外の操作であって、前記表示部への操作を検出する検出手段によってロック解除アイコンへの所定の操作が検出された場合に、表示用ピクト機能実行操作であると判別し、
さらに、前記第２判別機能は、前記検出手段によって前記第１表示領域内の表示用ピクトへの操作が検出された後、所定時間以内に前記第１判別機能によってロック解除操作であると判別された場合に、表示用ピクト機能実行操作であると判別するプログラムである。
【発明の効果】
【００１０】
本発明によれば、表示部への誤操作を防止するロック画面に表示用ピクトが表示されている状態において、その表示用ピクトに対応する機能をそのロック画面を解除しなくても容易に実行することができ、ユーザにとって操作性及び利便性に富んだものとなる。
【図面の簡単な説明】
【００１１】
【図１】端末装置として適用した携帯電話機１が利用可能な通信ネットワークシステムを示したブロック図。
【図２】携帯電話機１の基本的な構成要素を示したブロック図。
【図３】表示用ピクト情報記憶部Ｍ３を説明するための図。
【図４】表示部１６への誤操作を防止するロック画面を説明するための図。
【図５】ロック画面への遷移が指示された際に実行開始される動作を示したフローチャート（メインフロー）。
【図６】ロック画面表示処理（図５のステップＡ１）を詳述するためのフローチャート。
【図７】操作検出処理Ａ（図５のステップＡ４）を詳述するためのフローチャート。
【図８】操作検出処理Ｂ（図５のステップＡ５）を詳述するためのフローチャート。
【図９】ピクト機能実行処理（図５のステップＡ９）を詳述するためのフローチャート。
【図１０】ロック解除操作以外の所定の操作を表示用ピクト機能実行操作であるとして、その表示用ピクトに対応する機能を実行する場合を例示した図。
【図１１】第２実施形態において、ロック画面への遷移が指示された際に実行開始される動作を示したフローチャート（メインフロー）。
【図１２】ロック解除操作に所定の操作を加えた操作を表示用ピクト機能実行操作であるとして、その表示用ピクトに対応する機能を実行する場合を例示した図。
【図１３】本発明（付記１記載の発明）の機能を説明するための機能ブロック図。
【発明を実施するための形態】
【００１２】
以下、本発明の実施の形態について、図面を参照して詳細に説明する。
（第１実施形態）
先ず、図１〜図１０を参照して本発明の第１実施形態を説明する。
図１は、端末装置として適用した携帯電話機が利用可能な通信ネットワークシステムを示したブロック図である。
携帯電話機１は、例えば、スマートフォンと呼ばれる多機能型携帯電話機であり、その基本機能として通話機能、タッチ入力機能、電子メール機能、インターネット接続機能（Ｗｅｂアクセス機能）などを備え、その筐体の前面略全域にはタッチスクリーンＴＤが配設されている。携帯電話機１は、最寄りの基地局２Ａ、交換機２Ｂから無線通信網（移動体通信網）２に接続されると、この無線通信網２を介して他の携帯電話機（図示省略）との間で通話可能な状態となり、また、無線通信網２を介してインターネット３に接続されると、Ｗｅｂサイトをアクセスして閲覧可能となる。
【００１３】
図２は、携帯電話機１の基本的な構成要素を示したブロック図である。
中央制御部１１は、二次電池を備えた電源部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２、表示用ピクト情報記憶部Ｍ３などが設けられている。プログラム記憶部Ｍ１は、図５〜図９に示した動作手順に応じて本実施形態を実現するためのプログラムや各種のアプリケーションなどが格納されているほか、それに必要とする情報などが記憶されている。なお、記憶部１３は、例えば、ＳＤカード、ＩＣカードなど、着脱自在な可搬型メモリ（外部記録メディア）を含む構成であってもよく、また、図示しない所定の外部サーバ上の記憶領域を含むものであってもよい。また、各種情報一時記憶部Ｍ２は、フラグ情報、画面情報など、携帯電話機１が動作するために必要な各種の情報を一時的に記憶するワーク領域である。なお、表示用ピクト情報記憶部Ｍ３については、後で詳述するものとする。
【００１４】
無線通信部１４は、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＮから発信出力させる。
【００１５】
表示部１６は、高精細液晶あるいは有機ＥＬなどを使用し、例えば、文字情報、待受画像、表示用ピクト（Pictogram：絵文字など）、機能アイコンなど、各種の情報を表示させるもので、その表示パネルの表面に、指、器具などの物体の接触を検出する透明な接触センサを含む表示操作部１７を積層配設することによってタッチスクリーンＴＤを構成している。表示操作部１７は、表示部１６への操作を検出するもので、表示部１６に対する接触操作（タッチ操作）が行われた際に、表示部１６への接触をタッチ操作として検出し、その検出結果を中央制御部１１に与える。
【００１６】
また、表示操作部１７は、接触センサによる接触検出に限らず、他に操作器具や指の押し込み（押圧）も検出可能なもので、中央制御部１１は、表示操作部１７からの操作入力信号に基づいてタッチ操作や押圧操作の有無を検出したり、その操作位置（タッチ位置）を検出したりする。なお、表示部１６の全面をタッチスクリーンＴＤとする場合に限らず、その一部分をタッチスクリーンＴＤとしてもよい。また、表示操作部１７は、透明な接触センサに限らず、静電容量などで近距離に存在する物体の動きを検出する非接触センサを含む構成であってもよい。
【００１７】
操作部１８は、電源ボタンなどの押しボタン式の各種のキーを有するもので、中央制御部１１は、入力操作信号に応じた処理を実行する。ＲＴＣ（リアルタイムクロックモジュール）１９は、時計部を構成するもので、中央制御部１１は、ＲＴＣ１９から現在日時を取得する。報知部２０は、サウンドスピーカ２１、ＬＥＤ（発光ダイオード）２２、振動モータ２３を備え、着信時に駆動されて着信報知を行うほか、アラーム報知時などでも駆動される。
【００１８】
図３は、表示用ピクト情報記憶部Ｍ３を説明するための図である。
表示用ピクト情報記憶部Ｍ３は、表示部１６内に表示される表示用ピクトに関する情報をピクト毎に記憶するもので、「ピクトＩＤ」、「名称」、「画像データ」、「操作対象フラグ」、「ピクト機能」、…の各項目を有する構成となっている。「ピクトＩＤ」、「名称」は、ピクトを識別する情報であり、「画像データ」は、絵文字などのピクトの実データ（画像データ）である。「操作対象フラグ」は、表示用ピクトに対応する機能を実行させるために表示用ピクトに対する操作が行われたか否かを示すフラグであり、“１”は、表示用ピクトに対する操作が行われたことを示している。「ピクト機能」は、「名称」が電波ピクトであれば“電波を遮断する電波オフ設定”、電池ピクトであれば“電池残量詳細表示”及び“電力消費を抑制する省電力設定”、メールピクトであれば“新着メール表示”、…がピクト機能として記憶されている。
【００１９】
図４は、表示部１６への誤操作を防止するロック画面を説明するための図である。
表示部１６に表示される誤操作防止用のロック画面ＬＫには、表示用ピクトの表示領域（第１表示領域）ＬＫ１と、ロック解除アイコンの表示領域（第２表示領域）ＬＫ２を有している。更にロック画面ＬＫには、ロック解除アイコン（図中、黒塗り三角マーク）を特定の位置（エンドマーク：図中、黒塗り四角マークの表示位置）まで移動させる操作を行うことによってロックを解除する場合に、そのロック解除位置を表示する解除位置表示領域（第３表示領域）ＬＫ３と、その他の主要（メイン）表示領域（第４表示領域）ＬＫ４を有している。なお、ロック画面ＬＫでは壁紙などの画像データを第４表示領域ＬＫ４に表示させるようにしてもよく、また、ロック画面ＬＫでの表示レイアウトも図示の例に限らず、任意であってもよい。
【００２０】
次に、第１実施形態における携帯電話機の動作概念を図５〜図９に示すフローチャートを参照して説明する。ここで、これらのフローチャートに記述されている各機能は、読み取り可能なプログラムコードの形態で格納されており、このプログラムコードにしたがった動作が逐次実行される。図１０は、ロック解除操作以外の所定の操作を表示用ピクト機能実行操作であるとして、その表示用ピクトに対応する機能を実行する場合を例示した図である。
図５は、表示部１６への誤操作を防止するロック画面への遷移が指示された際に実行開始される動作を示したフローチャート（メインフロー）であり、この図５のフローから抜けた際には、全体動作のメインフロー（図示省略）に戻る。先ず、中央制御部１１は、ロック画面への遷移の指示に応答して表示部１６にロック画面を表示させるロック画面表示処理を行う（ステップＡ１）。なお、ロック画面への遷移の指示は、手動的な指示に限らず、自動的な指示であってもよい。
【００２１】
図６は、ロック画面表示処理（図５のステップＡ１）を詳述するためのフローチャートである。
先ず、中央制御部１１は、表示部１６にロック画面ＬＫを表示（図６のステップＢ１）させた後、表示用ピクトの表示領域である第１表示領域ＬＫ１内に電波ピクト及び電池ピクトを表示させる（ステップＢ２）。そして、新着メールを受信しているかを調べ（ステップＢ３）、受信していれば（ステップＢ３でＹＥＳ）、第１表示領域ＬＫ１内にメールピクトを表示させる（ステップＢ４）。次に、ロック解除アイコンの表示領域である第２表示領域ＬＫ２内には、ロック解除アイコン（図４の黒塗り三角マーク）を表示させ（ステップＢ５）、ロック解除位置の表示領域である第３表示領域ＬＫ３内には、エンドマーク（図４の黒塗り四角マーク）を表示させる（ステップＢ６）。
【００２２】
これによってロック画面表示処理（図５のステップＡ１）が終わると、第２表示領域ＬＫ２内のロック解除アイコンが操作されたことを検出したかを調べたり（ステップＡ２）、第１表示領域ＬＫ１内の表示用ピクトが操作されたことを検出したかを調べたりする（ステップＡ３）。いま、ロック解除アイコンへの操作を検出したときには（ステップＡ２でＹＥＳ）、ロック解除アイコンへの操作を起点に、それ以降、どのような操作が行われたかを判別するための操作検出処理Ａの実行に移る（ステップＡ４）。また、表示用ピクトへの操作を検出したときには（ステップＡ３でＹＥＳ）、表示用ピクトへの操作を起点に、それ以降、どのような操作が行われたかを判別するための操作検出処理Ｂの実行に移る（ステップＡ５）。
【００２３】
図７は、操作検出処理Ａ（図５のステップＡ４）を詳述するためのフローチャートである。
先ず、中央制御部１１は、ロック解除アイコンへの操作を検出した後、次の操作としてどのような操作が行われたかを調べる（ステップＣ１〜Ｃ４）。つまり、第３表示領域ＬＫ３までの移動操作（スライド操作）を検出したかを調べたり（ステップＣ１）、第１表示領域ＬＫ１内のいずれかの表示用ピクトまでの移動操作を検出したかを調べたり（ステップＣ２）、第１表示領域ＬＫ１内のいずれかの表示用ピクトへの操作（移動操作以外の所定の操作）を検出したかを調べたりする（ステップＣ３）。
【００２４】
ここで、上述した操作のいずれも検出しなければ（ステップＣ１〜Ｃ３でＮＯ）、次のステップＣ４に移り、ロック解除アイコンへの操作の解除を検出したかを調べ、その操作解除も検出しなければ（ステップＣ４でＮＯ）、上述のステップＣ１に戻るが、ロック解除アイコンへの操作解除を検出したときには（ステップＣ４でＹＥＳ）、ロック解除アイコンへの操作を無効とするために図７のフローから抜ける。一方、ロック解除アイコンへの操作が行われた後に、そのロック解除アイコンを第３表示領域ＬＫ３まで移動させる移動操作（スライド操作）を検出すると（ステップＣ１でＹＥＳ）、その第３表示領域ＬＫ３内での操作が解除されるまで待機する（ステップＣ５）。ここで、第３表示領域ＬＫ３内での操作解除を検出すると（ステップＣ５でＹＥＳ）、所定のロック解除操作が行われたものと判別する（ステップＣ６）。その後、図７のフローから抜ける。
【００２５】
また、ロック解除アイコンへの操作が行われた後に、第１表示領域ＬＫ１内のいずれかの表示用ピクトへの操作（移動操作以外の所定の操作）を検出したときには（ステップＣ３でＹＥＳ）、そのピクト機能の実行を指示する操作が行われたものと判別して（ステップＣ１０）、その操作された表示用ピクトの種類を判別する（ステップＣ１１）。例えば、図１０（１）に示すように第２表示領域ＬＫ２内のロック解除アイコンへの操作（例えば、シングルのタッチ操作）と、第１表示領域ＬＫ１内の電波ピクトへの操作（例えば、シングルのタッチ操作）が同時に行われた場合あるいは時間を空けて行われた場合には、電波ピクト機能の実行を指示する操作が行われたものと判別する。そして、その表示用ピクトに対応する表示用ピクト情報記憶部Ｍ３内の「操作対象フラグ」を“１”とする（ステップＣ１２）。その後、図７のフローから抜ける。
【００２６】
一方、ロック解除アイコンへの操作が行われた後に、ロック解除アイコンを第１表示領域ＬＫ１内のいずれかの表示用ピクトまで移動させる移動操作（スライド操作）を検出したときには（ステップＣ２でＹＥＳ）、その表示用ピクトの位置でその操作の解除を検出したかを調べたり（ステップＣ７）、第１表示領域ＬＫ１からメイン表示領域である第４表示領域ＬＫ４までの移動操作を検出したかを調べたり（ステップＣ８）、第１表示領域ＬＫ１から第３表示領域ＬＫ３までの移動操作を検出したかを調べたりする（ステップＣ９）。
【００２７】
いま、いずれかの表示用ピクトの位置でその操作の解除を検出したときには（ステップＣ７でＹＥＳ）、そのピクト機能の実行を指示する操作が行われたものと判別して（ステップＣ１０）、操作された表示用ピクトの種類を判別する（ステップＣ１１）。例えば、図１０（２）に示すように、第２表示領域ＬＫ２内のロック解除アイコンがタッチされた後に、第１表示領域ＬＫ１内の電波ピクトまで移動操作が行われた場合には、電波ピクト機能の実行を指示する操作が行われたものと判別する。
【００２８】
また、第１表示領域ＬＫ１内のいずれかの表示用ピクトまでの移動操作を検出した後（ステップＣ２でＹＥＳ）、更に第１表示領域ＬＫ１から第４表示領域ＬＫ４までの移動操作を検出したときにも（ステップＣ８でＹＥＳ）、そのピクト機能の実行を指示する操作が行われたものと判別して（ステップＣ１０）、操作された表示用ピクトの種類を判別する（ステップＣ１１）。同様に、第１表示領域ＬＫ１内のいずれかの表示用ピクトまでの移動操作を検出した後（ステップＣ２でＹＥＳ）、更に第１表示領域ＬＫ１から第３表示領域ＬＫ３までの移動操作を検出したときにも（ステップＣ９でＹＥＳ）、そのピクト機能の実行を指示する操作が行われたものと判別して（ステップＣ１０）、操作された表示用ピクトの種類を判別する（ステップＣ１１）。
【００２９】
図８は、操作検出処理Ｂ（図５のステップＡ５）を詳述するためのフローチャートである。
先ず、中央制御部１１は、表示用ピクトへの操作が行われた後に、第２表示領域ＬＫ２内のロック解除アイコンへの移動操作を検出したかを調べたり（ステップＤ１）、第２表示領域ＬＫ２内のロック解除アイコンへの操作（移動操作以外の所定の操作）を検出したかを調べたりする（ステップＤ２）。ここで、上述したいずれの操作も検出しなければ（ステップＤ１及びＤ２でＮＯ）、表示用ピクトへの操作解除を検出したかを調べる（ステップＤ３）。
【００３０】
いま、表示用ピクトへの操作解除も検出しなければ（ステップＤ３でＮＯ）、上述のステップＤ１に戻るが、その操作解除を検出したときには（ステップＤ３でＹＥＳ）、図８のフローから抜ける。一方、表示用ピクトへの操作が行われた後に、表示用ピクトを第２表示領域ＬＫ２内のロック解除アイコンまで移動させる操作を検出したときには（ステップＤ１でＹＥＳ）、そのロック解除アイコンの位置でその操作解除を検出したかを調べたり（ステップＤ４）、第２表示領域ＬＫ２からメイン表示領域である第４表示領域ＬＫ４までの移動操作を検出したかを調べたり（ステップＤ５）、第２表示領域ＬＫ２から第３表示領域ＬＫ３までの移動操作を検出したかを調べたりする（ステップＤ６）。
【００３１】
いま、第２表示領域ＬＫ２内での操作解除を検出したときには（ステップＤ４でＹＥＳ）、そのピクト機能の実行を指示する操作が行われたものと判別して（ステップＤ７）、操作された表示用ピクトの種類を判別する（ステップＤ８）。また、ロック解除アイコンまでの移動操作を検出した後（ステップＤ１でＹＥＳ）、更に第４表示領域ＬＫ４までの移動操作を検出したときにも（ステップＤ５でＹＥＳ）、そのピクト機能の実行を指示する操作が行われたものと判別して（ステップＤ７）、操作された表示用ピクトの種類を判別する（ステップＤ８）。同様に、ロック解除アイコンまでの移動操作を検出した後（ステップＤ１でＹＥＳ）、更に第３表示領域ＬＫ３までの移動操作を検出したときにも（ステップＤ６でＹＥＳ）、そのピクト機能の実行を指示する操作が行われたものと判別して（ステップＤ７）、操作された表示用ピクトの種類を判別する（ステップＤ８）。そして、その表示用ピクトに対応する表示用ピクト情報記憶部Ｍ３内の「操作対象フラグ」を“１”（ステップＤ９）とした後、図８のフローから抜ける。
【００３２】
このようにして操作検出処理Ａ（図５のステップＡ４）あるいは操作検出処理Ｂ（図５のステップＡ５）が終わると、上述の操作検出処理Ａあるいは操作検出処理Ｂでの判別結果を調べる（ステップＡ６、Ａ７）。すなわち、ロック解除操作が行われたものと判別されたのか（ステップＡ６）、ピクト機能の実行を指示する操作が行われたものと判別されたかを調べる（ステップＡ７）。いま、ロック解除操作が行われたときには（ステップＡ６でＹＥＳ）、ロック画面を解除するために所定の画面（例えば、ホーム画面、メニュー画面など）を表示させるが（ステップＡ８）、ピクト機能の実行を指示する操作が行われたときには（ステップＡ７でＹＥＳ）、後述するピクト機能実行処理（ステップＡ９）を行った後、ステップＡ８に移って所定の画面を表示させる。また、ロック解除操作及びピクト機能実行操作が行われたと判別されなければ（ステップＡ７でＮＯ）、最初のステップＡ１に戻る。なお、ピクト機能実行処理後は、ロック画面を解除せず、ロック画面を維持するために最初のステップＡ１に戻るようにしてもよい。
【００３３】
図９は、ピクト機能実行処理（図５のステップＡ９）を詳述するためのフローチャートである。
先ず、中央制御部１１は、表示用ピクト情報記憶部Ｍ３を参照して、「操作対象フラグ」が“１”の表示用ピクトを読み出し（ステップＥ１）、それに対応するピクト機能画面を表示させる（ステップＥ２）。例えば、ピクト機能画面として、電波オフ設定画面、電池残量詳細表示及び省電力設定の選択メニュー画面、新着メール表示画面などを表示する。図１０（３）は、図１０（１）あるいは（２）の操作に応じて表示された電波オフ設定画面を示している。
【００３４】
このようにピクト機能画面が表示されている状態において、ピクト機能の各種操作を検出したかを調べたり（ステップＥ３）、ピクト終了操作を検出したかを調べたりする（ステップＥ４）。ここで、表示されているピクト機能画面に応じた操作として、オン／オフ設定操作、選択メニューの選択操作、新着メールのスクロール操作などを検出したときには（ステップＥ３でＹＥＳ）、その操作に応じてピクト機能を実行（ステップＥ５）した後、上述のステップＥ２に戻る。例えば、図１０（３）に示すような電波オフ設定画面においては、“電波をオフする”、“電波をオフしない”の項目のいずれかにユーザ操作によってチェックマークが入れられると、それに応じたピクト機能を実行する。また、ピクト終了操作を検出したときには（ステップＥ４でＹＥＳ）、ピクト機能を終了させる（ステップＥ６）。そして、その表示用ピクトに対応する「操作対象フラグ」を“０”とする（ステップＥ７）。その後、図９のフローから抜ける。
【００３５】
以上のように、第１実施形態における中央制御部１１は、表示部１６への誤操作を防止するためのロック画面内の第１表示領域に表示用ピクトが表示されていると共に、第２表示領域にロック解除アイコンが表示されている状態において、ロック解除操作以外の表示部６への操作を検出すると、表示用ピクト機能実行操作が行われたものと判別して、その表示用ピクトに対応する機能を実行するようにしたので、表示用ピクトに対応する機能をそのロック画面を解除しなくても容易に実行することができ、ユーザにあってもロック解除操作以外の所定の操作で表示用ピクトに対応する機能を実行させることができ、操作性及び利便性に富んだものとなる。
【００３６】
ロック解除操作以外の操作として、ロック解除アイコンへの操作を検出したときには、表示用ピクト機能実行操作が行われたものと判別するようにしたので、ロック解除アイコンへの操作を表示用ピクト機能実行操作とすることができる、この場合、ロック解除アイコンへの操作であるから誤操作の可能性も高まらない。
【００３７】
第２表示領域ＬＫ２内のロック解除アイコンへの操作及び第１表示領域ＬＫ１内の表示用ピクトへの操作を検出したときには、表示用ピクト機能実行操作であると判別するようにしたので、ユーザにあってはロック解除アイコンへの操作と表示用ピクトへの操作を行うだけで、例えば、ロック解除アイコンと表示用ピクトとを同時にタッチする操作を行うだけで、ロック画面に表示されている表示用ピクト対応の機能を容易に実行させることができる。また、ロック解除アイコンへの操作と表示用ピクトへの操作であるから誤操作の可能性も高まらない。また、表示用ピクトへの操作であるから直感的な操作で表示用ピクト対応の機能を実行させることができる。また、ロック画面であることを認識しつつロック画面であっても表示ピクトに対応する機能を実行させる、というユーザの意図を直感的な操作（ロック解除アイコンへの操作と表示用ピクトへの操作）で実現させることができる。
【００３８】
第２表示領域ＬＫ２内のロック解除アイコンへの操作を検出した後に、第２表示領域ＬＫ２から表示用ピクトの第１表示領域ＬＫ１まで移動させる操作を検出したときには、表示用ピクト機能実行操作であると判別するようにしたので、ユーザにあってはロック解除アイコンを表示用ピクトまで移動する操作を行うだけで、表示用ピクトに対応する機能を容易に実行させることができる。また、ロック解除アイコンへの操作であるから誤操作の可能性も高まらない。また、表示用ピクトへの操作であるから直感的な操作で表示用ピクト対応の機能を実行させることができる。
【００３９】
第２表示領域ＬＫ２内のロック解除アイコンへの操作を検出した後に、第２表示領域ＬＫ２から第１表示領域ＬＫ１まで移動させる操作を検出し、更に、ロック解除アイコンへの操作を検出しなくなったときには、表示用ピクト機能実行操作であると判別するようにしたので、ユーザにあってはロック解除アイコンへの操作を行った後、第２表示領域から第１表示領域まで移動させる操作を行い、更に、ロック解除アイコンへの操作を止めることによって、ロック画面に表示されている表示用ピクト対応の機能を容易に実行させることができる。また、ロック解除アイコンへの操作であるから誤操作の可能性も高まらない。また、表示用ピクトへの操作であるから直感的な操作で表示用ピクト対応の機能を実行させることができる。
【００４０】
第２表示領域ＬＫ２内のロック解除アイコンへの操作を検出した後に、第２表示領域ＬＫ２から第１表示領域ＬＫ１まで移動させる操作を検出し、更に、メイン表示領域である第４表示領域ＬＫ４まで移動させる操作を検出したときには、表示用ピクト機能実行操作であると判別するようにしたので、ユーザにあっては移動操作の経路によって第２表示領域ＬＫ２から第１表示領域ＬＫ１を経由してそのピクト機能画面を第４表示領域ＬＫ４に表示させることを指示することができる。また、ロック解除アイコンへの操作であるから誤操作の可能性も高まらない。また、表示用ピクトへの操作であるから直感的な操作で表示用ピクト対応の機能を実行させることができる。
【００４１】
第２表示領域内ＬＫ２のロック解除アイコンへの操作を検出した後に、第２表示領域ＬＫ２から第１表示領域ＬＫ１まで移動させる操作を検出し、更に、第３表示領域ＬＫ３まで移動させる操作を検出したときには、表示用ピクト機能実行操作であると判別するようにしたので、ユーザにあってはロック解除操作に表示用ピクトを経由する操作を加えた操作を表示用ピクト機能実行操作とすることができ、ユーザにとって分かり易い操作となる。また、ロック解除アイコンへの操作であるから誤操作の可能性も高まらない。また、表示用ピクトへの操作であるから直感的な操作で表示用ピクト対応の機能を実行させることができる。
【００４２】
第１表示領域ＬＫ１内の表示用ピクトへの操作を検出した後に、第１表示領域ＬＫ１から第２表示領域ＬＫ２まで移動させる操作を検出したときには、表示用ピクト機能実行操作であると判別するようにしたので、ユーザにあっては表示用ピクトへの操作からロック解除アイコンまでの移動操作によってロック画面に表示されている表示用ピクト対応の機能を容易に実行させることができる。また、ロック解除アイコンへの操作であるから誤操作の可能性も高まらない。また、表示用ピクトへの操作であるから直感的な操作で表示用ピクト対応の機能を実行させることができる。また、ロック画面であることを認識しつつロック画面であっても表示ピクトに対応する機能を実行させる、というユーザの意図を直感的な操作（表示用ピクトへの操作とロック解除アイコンへの操作）で実現させることができる。
【００４３】
第１表示領域ＬＫ１内の表示用ピクトへの操作を検出した後に、第１表示領域ＬＫ１から第２表示領域ＬＫ２まで移動させる操作を検出し、更に、表示用ピクトへの操作を検出しなくなったときには、表示用ピクト機能実行操作であると判別するようにしたので、ユーザにあっては表示用ピクトへの操作を行った後、第１表示領域から第２表示領域まで移動させる操作を行い、更に、ロック解除アイコンへの操作を止めることによって、ロック画面に表示されている表示用ピクト対応の機能を容易に実行させることができる。また、ロック解除アイコンへの操作であるから誤操作の可能性も高まらない。また、表示用ピクトへの操作であるから直感的な操作で表示用ピクト対応の機能を実行させることができる。 
【００４４】
第１表示領域ＬＫ１内の表示用ピクトへの操作を検出した後に、第１表示領域ＬＫ１から第２表示領域ＬＫ２まで移動させる操作を検出し、更に、メイン表示領域である第４表示領域ＬＫ４まで移動させる操作を検出したときには、表示用ピクト機能実行操作であると判別するようにしたので、ユーザにあっては表示用ピクトへの操作を行った後、第１表示領域ＬＫ１から第２表示領域ＬＫ２まで移動させる操作を行い、更に、第４表示領域ＬＫ４まで移動させる操作を行うことによって、ロック画面に表示されている表示用ピクト対応の機能を容易に実行させることができる。また、ロック解除アイコンへの操作であるから誤操作の可能性も高まらない。また、表示用ピクトへの操作であるから直感的な操作で表示用ピクト対応の機能を実行させることができる。
【００４５】
第１表示領域ＬＫ１内の表示用ピクトへの操作を検出した後に、第１表示領域ＬＫ１から第２表示領域ＬＫ２まで移動させる操作を検出し、更に、第３表示領域ＬＫ３まで移動させる操作を検出したときには、表示用ピクト機能実行操作であると判別するようにしたので、ユーザにあっては、表示用ピクトへの操作を行った後、第１表示領域ＬＫ１から第２表示領域ＬＫ２まで移動させる操作を行い、更に、第３表示領域ＬＫ３まで移動させる操作を行うことによって、ロック画面に表示されている表示用ピクト対応の機能を容易に実行させることができる。また、ロック解除アイコンへの操作であるので誤操作の可能性も高まらない。また、表示用ピクトへの操作であるから直感的な操作で表示用ピクト対応の機能を実行させることができる。
【００４６】
第１表示領域ＬＫ１に複数の表示用ピクトが表示されている場合に、この複数の表示用ピクトの中から操作された表示用ピクトに対応する機能を実行するようにしたので、ユーザにあっては、実行させたい機能に対応する表示用ピクトへの操作によりその表示用ピクト対応の機能を容易に実行させることができる。
【００４７】
（実施形態２）
以下、この発明の第２実施形態について図１１及び図１２を参照して説明する。
なお、第１実施形態にあっては、ロック解除操作以外の所定の操作を表示用ピクト機能実行操作であると判別するようにしたが、第２実施形態にあっては、ロック解除操作に所定の操作を加えた操作を表示用ピクト機能実行操作であると判別するようにしたものである。ここで、両実施形態において基本的あるいは名称的に同一のものは、同一符号を付して示し、その説明を省略すると共に、以下、第２実施形態の特徴部分を中心に説明するものとする。
【００４８】
図１１は、第２実施形態において、表示部１６への誤操作を防止するロック画面への遷移が指示された際に実行開始される動作を示したフローチャート（メインフロー）であり、この図１１のフローから抜けた際には、全体動作のメインフロー（図示省略）に戻る。図１２は、ロック解除操作に所定の操作を加えた操作を表示用ピクト機能実行操作であるとして、その表示用ピクト対応の機能を実行する場合を例示した図で、第１表示領域ＬＫ１の表示用ピクトへの操作が行われた後に、所定時間以内にロック解除操作が行われると、その表示用ピクト対応の機能を実行するようにしている。
【００４９】
先ず、中央制御部１１は、ロック画面への遷移が指示されると、表示部１６にロック画面を表示させるロック画面表示処理を行う（ステップＦ１）。なお、このロック画面表示処理は、上述した図６のフローにしたがって実行されるためその説明は省略するものとする。ロック画面表示処理が終わると、第２表示領域ＬＫ２内のロック解除アイコンへの操作を検出したかを調べたり（ステップＦ２）、第１表示領域ＬＫ１内の表示用ピクトへの操作を検出したかを調べたりする（ステップＦ３）。
【００５０】
いま、ロック解除アイコンへの操作を検出したときには（ステップＦ２でＹＥＳ）、ロック解除アイコンを第３表示領域ＬＫ３まで移動させる移動操作（スライド操作）を検出するまで待機する（ステップＦ４）。ここで、第３表示領域ＬＫ３までの移動操作を検出すると（ステップＦ４でＹＥＳ）、その第３表示領域ＬＫ３内でその操作が解除されたかを調べ（ステップＦ５）、その操作が解除されたときには（ステップＦ５でＹＥＳ）、所定のロック解除操作が行われたものと判別する（ステップＦ６）。そして、後述するカウントダウンタイマ（図示省略）は動作中であるかを調べるが（ステップＦ７）、いま、そのタイマは動作中ではないので（ステップＦ７でＮＯ）、ロック画面を解除するために所定の画面（例えば、ホーム画面、メニュー画面など）に切り換え表示させる（ステップＦ１０）。
【００５１】
一方、第１表示領域ＬＫ１内のいずれかの表示用ピクトへの操作を検出したときには（ステップＦ３でＹＥＳ）、その表示用ピクトの位置で操作解除を検出したかを調べたり（ステップＦ１１）、メイン表示領域の第４表示領域ＬＫ４まで移動させる移動操作を検出したかを調べたりする（ステップＦ１２）。図１２（１）は、第１表示領域ＬＫ１内の電池ピクトへの操作を行った後、この電池ピクトをメイン表示領域の第４表示領域ＬＫ４まで移動させる操作が行われた場合である。
【００５２】
ここで、表示用ピクトでの操作解除を検出したとき（ステップＦ１１でＹＥＳ）、あるいは第４表示領域ＬＫ４までの移動操作を検出したときには（ステップＦ１２でＹＥＳ）、そのピクト機能の実行を指示する操作が行われたものと判別して（ステップＦ１３）、その操作された表示用ピクトの種類を判別する（ステップＦ１４）。そして、その表示用ピクトに対応する表示用ピクト情報記憶部Ｍ３内の「操作対象フラグ」を“１”とする（ステップＦ１５）。その後、カウントダウンタイマに初期値（例えば、５秒）を設定してその値を減算する計測動作をストートさせる（ステップＦ１６）。カウントダウンタイマは、ピクト機能実行操作が行われてからロック解除操作が行われるまでの時間を計測するもので、その計測動作をスタートさせた後は、上述のステップＦ２に戻る。
【００５３】
このようなピクト機能実行操作が行われた後において、ロック解除操作が行われたときには（ステップＦ２、Ｆ４〜Ｆ６）、上述のカウントダウンタイマは動作中であるかを調べる（ステップＦ７）。いま、図１２（２）は、ピクト機能実行操作後のロック解除操作を示し、ピクト機能実行操作が行われてから所定時間（例えば、５秒）以内にロック解除操作が行われた場合を示している。このように所定時間以内にロック解除操作が行われたときには、カウントダウンタイマは動作中であるので（ステップＦ７でＹＥＳ）、カウントダウンタイマの計測動作をストップ（ステップＦ８）させた後、上述した図９のフローにしたがってピクト機能実行処理（ステップＦ９）を行う。
【００５４】
その後、ステップＦ１０に移り、所定の画面を表示させる。図１２（３）は、図１２（１）に示すような第１表示領域ＬＫ１内の表示用ピクトへの操作を検出した後、所定時間以内に図１２（２）に示すようなロック解除操作が行われた場合に、表示用ピクト対応の画面として、電池ピクト対応の画面（電池残量詳細表示及び省電力設定の画面）が表示された場合を示している。なお、ピクト機能実行処理後は、ロック画面を解除せず、ロック画面を維持するために最初のステップＦ１に戻るようにしてもよい。
【００５５】
以上のように、第２実施形態における中央制御部１１は、第１表示領域ＬＫ１内の表示用ピクトへの操作を検出した後、所定時間以内にロック解除操作が行われた場合に、表示用ピクト機能実行操作であると判別するようにしたので、ユーザにあっては第１表示領域ＬＫ１の表示用ピクトへの操作を行った後、所定時間以内にロック解除操作行うことによって、ロック画面に表示されている表示用ピクト対応の機能を容易に実行させることができる。また、表示用ピクト機能を実行させる前にロック解除操作を行うようにしたので誤操作の可能性も高まらない。また、表示用ピクトへの操作であるのでユーザは直感的な操作で表示用ピクト対応の機能を実行させることができる。また、ユーザが表示用ピクト機能を実行させようとして、第１表示領域ＬＫ１の表示用ピクトへの操作を行った後、表示用ピクト機能が実行されないことによって、ロック画面であることに気づいても、所定時間以内にロック解除操作を行えば、表示用ピクト機能が実行されるので、ユーザは、ロック解除操作を行った後で、再び表示用ピクト機能実行操作を行うという煩わしさを感じないという格別な効果を奏する。
【００５６】
第１表示領域ＬＫ１内の表示用ピクトへの操作を検出した後、第１表示領域ＬＫ１から第４表示領域ＬＫ４まで移動させる操作を検出した場合に、所定時間以内にロック解除操作が行われたときには、表示用ピクト機能実行操作であると判別するようにしたので、ユーザにあっては、表示用ピクトへの操作を行い、第１表示領域ＬＫ１から第２表示領域ＬＫ２まで移動させる操作を行った後、所定時間以内に、ロック解除操作行うことによって、ロック画面に表示されている表示用ピクトに対応する機能を容易に実行させることができる。また、表示用ピクト機能を実行させる前にロック解除操作を行うようにしたので、誤操作の可能性は高まらない。更には、表示用ピクトへの操作なので、ユーザは直感的な操作で表示用ピクトに対応する機能を実行させることができる。また、ユーザが表示用ピクト機能を実行させようとして、第１表示領域ＬＫ１の表示用ピクトへの操作を行い、第１表示領域ＬＫ１から第２表示領域ＬＫ２まで移動させる操作を行った後、表示用ピクト機能が実行されないことによって、ロック画面であることに気づいても、所定時間以内にロック解除操作を行えば、表示用ピクト機能が実行されるので、ユーザは、ロック解除操作を行った後で、再び表示用ピクト機能実行操作を行うという煩わしさを感じないという格別な効果を奏する。
【００５７】
第１表示領域ＬＫ１に複数の表示用ピクトが表示されている場合に、この複数の表示用ピクトの中から操作された表示用ピクト対応の機能を実行するようにしたので、ユーザにあっては、実行させたい機能に対応する表示用ピクトへの操作によりその表示用ピクト対応の機能を容易に実行させることができる。
【００５８】
上述した各実施形態においては表示用ピクトとして、電波ピクト、電池ピクト、メールピクトを例示したが、それに限らず、任意である。また、表示用ピクトに対応する機能も任意であり、例えば、電波ピクトに対応する機能であれば、通話時間表示機能など、表示用ピクトに関連する任意の機能であってもよい。
【００５９】
上述した各実施形態においては、表示部１６は端末装置に備えられている表示部としたが、外部モニタなど、任意の外部表示装置であってもよい。
【００６０】
上述した各実施形態においては、端末装置としてスマートフォンに適用した場合を示したが、ＰＣ（パーソナルコンピュータ）、デジタルカメラ、ＰＤＡ（個人向け携帯型情報通信機器）、タブレット端末装置、スマートフォン以外の携帯電話機、電子ゲーム、音楽プレイヤーなどであってもよい。
【００６１】
その他、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６２】
上記の各実施形態の一部又は全部は、以下の付記のように記載され得るが、これに限定されるものではない。以下、本発明の諸態様を付記としてまとめて記載する。
【００６３】
（付記１）
図１３は、付記１の構成図（機能ブロック図）である。この図に示すように、付記１記載の発明は、
表示部（図２では表示部１６）への操作を検出する検出手段１０１（図２では表示操作部１７、中央制御部１１、記憶部１３）と、前記検出手段１０１によって検出された操作に応じた処理を実行する処理手段１０２（図２では中央制御部１１、記憶部１３）とを備えた端末装置（図１の携帯電話機１）であって、
前記表示部１００への誤操作を防止するためのロック画面内の第１表示領域に表示用ピクトを表示させ、第２表示領域にロック解除アイコンを表示させる表示制御手段１０３（図１では中央制御部１１、記憶部１３）と、
前記検出手段１０１によって前記第２表示領域内のロック解除アイコンへの操作が検出された後、そのロック解除用アイコンを第２表示領域から第３表示領域へ移動させる操作が検出された場合に、ロック解除操作が行われたと判別する第１判別手段１０４（図２では中央制御部１１、記憶部１３）と、
前記第１判別手段１０４によりロック解除操作が行われたと判別された場合に、ロック画面から所定の画面に遷移させる画面遷移手段１０５（図２では中央制御部１１、記憶部１３）と、
前記検出手段１０１によってロック解除操作以外の表示部１００への所定の操作が検出された場合に、表示用ピクト機能実行操作であると判別する第２判別手段１０６（図２では中央制御部１１、記憶部１３）と、
を備え、前記処理手段１０２は、前記第２判別手段１０６によって表示用ピクト機能実行操作であると判別された場合に、前記第１表示領域に表示される表示用ピクトに対応する機能を実行する、
ようにしたことを特徴とする端末装置。
【００６４】
（付記２）
前記第２判別手段は、前記ロック解除操作以外の操作であって、前記検出手段によってロック解除アイコンへの所定の操作が検出された場合に、表示用ピクト機能実行操作であると判別する、
ようにしたことを特徴とする請求項１記載の端末装置。
【００６５】
（付記３）
前記第２判別手段は、前記検出手段によって前記第２表示領域内のロック解除アイコンへの操作及び第１表示領域内の表示用ピクトへの操作が検出された場合に、表示用ピクト機能実行操作であると判別する、
ようにしたことを特徴とする請求項２記載の端末装置。
【００６６】
（付記４）
前記第２判別手段は、前記検出手段によって前記第２表示領域内のロック解除アイコンへの操作が検出された後、前記第２表示領域から前記第１表示領域まで移動させる操作が検出された場合に、表示用ピクト機能実行操作であると判別する、
ようにしたことを特徴とする請求項２記載の端末装置。
【００６７】
（付記５）
前記第２判別手段は、前記検出手段によって前記第２表示領域内のロック解除アイコンへの操作が検出された後、前記第２表示領域から前記第１表示領域まで移動させる操作が検出され、更に、ロック解除アイコンへの操作が検出されなくなった場合に、表示用ピクト機能実行操作であると判別する、
ようにしたことを特徴とする請求項４記載の端末装置。
【００６８】
（付記６）
前記第２判別手段は、前記検出手段によって前記第１表示領域内の表示用ピクトへの操作が検出された後、前記第１表示領域から前記第２表示領域まで移動させる操作が検出された場合に、表示用ピクト機能実行操作であると判別する、
ようにしたことを特徴とする請求項２記載の端末装置。
【００６９】
（付記７）
前記第２判別手段は、前記検出手段によって前記第１表示領域内の表示用ピクトへの操作が検出された後、所定時間以内に前記第１判別手段によってロック解除操作であると判別された場合に、表示用ピクト機能実行操作であると判別する、
ようにしたことを特徴とする請求項２記載の端末装置。
【００７０】
（付記８）
前記第２判別手段は、前記検出手段によって前記第１表示領域内の表示用ピクトへの操作が検出された後、前記第１表示領域から前記第４表示領域まで移動させる操作が検出され、所定時間以内に前記第１判別手段によってロック解除操作であると判別された場合に、表示用ピクト機能実行操作であると判別する、
ようにしたことを特徴とする請求項２記載の端末装置。
【００７１】
（付記９）
表示部への誤操作を防止するためのロック画面内の第１表示領域に表示用ピクトを表示させ、第２表示領域にロック解除アイコンを表示させる表示制御ステップと、
前記第２表示領域内のロック解除アイコンへの操作が検出された後、そのロック解除用アイコンを第２表示領域から第３表示領域へ移動させる操作が検出された場合に、ロック解除操作が行われたと判別する第１判別ステップと、
前記ロック解除操作が行われたと判別された場合に、ロック画面から所定の画面に遷移させる画面遷移ステップと、
前記ロック解除操作以外の表示部への所定の操作が検出された場合に、表示用ピクト機能実行操作であると判別する第２判別ステップと、
前記表示用ピクト機能実行操作であると判別された場合に、前記第１表示領域に表示される表示用ピクトに対応する機能を実行する処理ステップと、
を含むことを特徴とする処理方法。
（付記１０）
コンピュータに対して、
表示部への誤操作を防止するためのロック画面内の第１表示領域に表示用ピクトを表示させ、第２表示領域にロック解除アイコンを表示させる表示制御機能と、
前記第２表示領域内のロック解除アイコンへの操作が検出された後、そのロック解除用アイコンを第２表示領域から第３表示領域へ移動させる操作が検出された場合に、ロック解除操作が行われたと判別する第１判別機能と、
前記ロック解除操作が行われたと判別された場合に、ロック画面から所定の画面に遷移させる画面遷移機能と、
前記ロック解除操作以外の表示部への所定の操作が検出された場合に、表示用ピクト機能実行操作であると判別する第２判別機能と、
前記表示用ピクト機能実行操作であると判別された場合に、前記第１表示領域に表示される表示用ピクトに対応する機能を実行する処理機能と、
を実現させるためのプログラム。
【００７２】
（付記１１）
前記第２判別手段は、前記検出手段によって前記第２表示領域内のロック解除アイコンへの操作が検出された後、前記第２表示領域から前記第１表示領域まで移動させる操作が検出され、更に、主要表示領域である第４表示領域まで移動させる操作が検出された場合に、表示用ピクト機能実行操作であると判別する、
ようにしたことを特徴とする請求項４記載の端末装置。
【００７３】
（付記１２）
前記第２判別手段は、前記検出手段によって前記第２表示領域内のロック解除アイコンへの操作が検出された後、前記第２表示領域から戦記第１表示領域まで移動させる操作が検出され、更に、第３表示領域まで移動させる操作が検出された場合に、表示用ピクト機能実行操作であると判別する、
ようにしたことを特徴とする請求項４記載の端末装置。
【００７４】
（付記１３）
前記第２判別手段は、前記検出手段によって前記第１表示領域内の表示用ピクトへの操作が検出された後、前記第１表示領域から前記第２表示領域まで移動させる操作が検出され、更に、表示用ピクトへの操作が検出されなくなった場合に、表示用ピクト機能実行操作であると判別する、
ようにしたことを特徴とする請求項８記載の端末装置。
【００７５】
（付記１４）
前記第２判別手段は、前記検出手段によって前記第１表示領域内の表示用ピクトへの操作が検出された後、前記第１表示領域から前記第２表示領域まで移動させる操作が検出され、更に、主要表示領域である第４表示領域まで移動させる操作が検出された場合に、表示用ピクト機能実行操作であると判別する、
ようにしたことを特徴とする請求項６記載の端末装置。
【００７６】
（付記１５）
前記第２判別手段は、前記検出手段によって前記第１表示領域内の表示用ピクトへの操作が検出された後、前記第１表示領域から前記第２表示領域まで移動させる操作が検出され、さ更に、前記第３表示領域まで移動させる操作が検出された場合に、表示用ピクト機能実行操作であると判別する、
ようにしたことを特徴とする請求項６記載の端末装置。
【００７７】
（付記１６）
前記表示制御手段は、前記第１表示領域に複数の表示用ピクトを表示させ、
前記表示制御手段によって表示された複数の表示用ピクトの中から前記検出手段によって操作が検出された表示用ピクトを判別する第３判別手段を更に備え、
前記処理手段は、第３判別手段によって判別された表示用ピクトに対応する機能を実行する、
ようにしたことを特徴とする請求項３、４、６、７、８のいずれかに記載の端末装置。
【符号の説明】
【００７８】
１  携帯電話機
１１  中央制御部
１３  記憶部
１６  表示部
１７  表示操作部
ＴＤ  タッチスクリーン
ＬＫ  ロック画面
ＬＫ１  第１表示領域
ＬＫ２  第２表示領域
ＬＫ３  第３表示領域
ＬＫ４  第４表示領域
Ｍ１  プログラム記憶部
Ｍ３  表示用ピクト情報記憶部
【図１】
0006048757.tif 000002
【図２】
0006048757.tif 000003
【図３】
0006048757.tif 000004
【図４】
0006048757.tif 000005
【図５】
0006048757.tif 000006
【図６】
0006048757.tif 000007
【図７】
0006048757.tif 000008
【図８】
0006048757.tif 000009
【図９】
0006048757.tif 000010
【図１０】
0006048757.tif 000011
【図１１】
0006048757.tif 000012
【図１２】
0006048757.tif 000013
【図１３】
0006048757.tif 000014